【手続補正書】
【提出日】平成19年1月31日(2007.1.31)
【手続補正１】
【補正対象書類名】特許請求の範囲
【補正対象項目名】全文
【補正方法】変更
【補正の内容】
【特許請求の範囲】
【請求項１】
吸収性物品に使用するのに好適な閉鎖部品の製造方法であって、
（ａ）止着手段３を備える止着部分２を提供する工程、
（ｂ）機械方向に連続的な材料のウェブ１を提供する工程であって、前記ウェブが、第１の外側主面１ｂおよび第２の内側主面１ａ、並びに、左および右の縦縁部１ｃ、１ｄを有し、前記第１および第２の主面１ａ、１ｂの少なくとも１つが止着手段３と解放可能に係合できる、工程、
（ｃ）前記止着部分２の前記止着手段３が露出するように、前記止着部分２を前記機械方向に前記ウェブ１の前記内側主面１ａおよび前記外側主面１ｂの少なくとも一方に接合する工程、
（ｄ）各々が上縁部５ａおよび基線５ｂを有する少なくとも２つのフラップ５を提供するため、前記ウェブ１に少なくとも２つの切目４を付与する工程であって、前記少なくとも２つのフラップ５はそれぞれ、前記止着部分２の少なくとも一部を担持し、前記少なくとも２つのフラップ５の基線５ｂが前記ウェブ１の反対側の縦縁部１ｃ、１ｄに面するように、少なくともその各基線５ｂ全体にわたって前記ウェブ１に接続されている、工程、
（ｅ）前記止着手段３が前記ウェブ１の対応する面と解放可能に係合するように、前記フラップ５をその上縁部５ａからその基線５ｂの方向に実質的に前記基線５ｂに沿って前記ウェブ１上に折り重ねる工程、および
（ｆ）前記ウェブ１に更なる切目４’、４”を付与し、前記フラップ５を折り畳んだ位置で備える個々の閉鎖部品７を製造する工程、
を含み、以下の式で定義される廃棄物ｗすなわち
【数１】
2006526461.tif 000001
が０．２未満であるように、前記切目４、４’、および４”を付与する、方法。
【請求項２】
吸収性物品に使用するのに好適な、機械方向の一連の予備形成された閉鎖部品７を備える安定なロールの製造方法であって、
（ａ）止着手段３を備える止着部分２を提供する工程、
（ｂ）機械方向に連続的な材料のウェブ１を提供する工程であって、前記ウェブが、第１の外側主面１ｂおよび第２の内側主面１ａ、並びに、左および右の縦縁部１ｃ、１ｄを有し、前記第１および第２の主面１ａ、１ｂの少なくとも１つが止着手段３と解放可能に係合できる、工程、
（ｃ）前記止着部分２の前記止着手段３が露出するように、前記止着部分２を前記機械方向に前記ウェブ１の前記内側主面１ａおよび前記外側主面１ｂの少なくとも一方に接合する工程、
（ｄ）各々が上縁部５ａおよび基線５ｂを有する少なくとも２枚のフラップ５を提供するため、前記ウェブ１に少なくとも２つの切目４を付与する工程であって、前記少なくとも２つのフラップ５はそれぞれ、前記止着部分２の少なくとも一部を担持し、前記少なくとも２つのフラップ５の基線５ｂが前記ウェブ１の反対側の縦縁部１ｃ、１ｄに面するように、少なくともその各基線５ｂ全体にわたって前記ウェブ１に接続されている、工程、
（ｅ）止着手段３が前記ウェブ１の対応する面と解放可能に係合するように、前記フラップ５をその上縁部５ａからその基線５ｂの方向に実質的に前記基線５ｂに沿って前記ウェブ１上に折り重ねる工程、および
（ｆ）前記ウェブ１をロールに巻き取る工程、
を含む、方法。
【請求項３】
機械方向の一連の予備形成された、吸収性物品への使用に適した閉鎖部品７を備える安定なロールであって、前記ロールは、第１の外側主面１ｂおよび第２の内側主面１ａ、並びに、左および右の縦縁部１ｃ、１ｄを有する、機械方向で連続的な材料のウェブ１を備え、前記ウェブ１は、止着部分２と、各々が上縁部５ａおよび基線５ｂを有する少なくとも２つのフラップ５とを担持し、前記フラップ５はそれぞれ、前記止着部分２の少なくとも一部を担持し、前記少なくとも２つのフラップ５の基線５ｂが前記ウェブ１の反対側の縦縁部１ｃ、１ｄに面するように、前記ウェブ１に少なくともその各基線５ｂ全体にわたって接続されており、前記フラップ５は、前記止着手段３が前記ウェブ１の対応する面１ａ、１ｂと解放可能な係合状態にあるように、その上縁部５ａからその基線５ｂの方向に実質的に前記基線５ｂに沿って前記ウェブ１上に折り重ねられる、安定なロール。
【請求項４】
基部７ａおよび少なくとも２枚のフラップ５、５’を備え、吸収性物品に取り付けるのに好適な閉鎖部品７であって、前記フラップ５、５’がそれぞれ上縁部５ａ、５ａ’および基線５ｂ、５ｂ’を有し、且つ止着手段３、３’を有する止着部分２、２’の少なくとも一部を担持し、前記フラップ５、５’が、それぞれ、前記基部７ａに少なくともその各基線５ｂ、５ｂ’全体にわたって接続されており、前記基部７ａは、第１の外側主面および第２の内側主面を有し、その少なくとも１つが、前記フラップ５、５’の前記ファスナ部分２、２’の前記止着手段３、３’と解放可能に係合できる、閉鎖部品７。
【手続補正２】
【補正対象書類名】明細書
【補正対象項目名】０１２１
【補正方法】変更
【補正の内容】
【０１２１】
【図１】千鳥配置の別個の止着部分２を担持する連続的な材料のウェブ１の内面１ａを示す概略図である。
【図２】止着部分２の一部の周りの切目４を更に備え、それによって、上縁部５ａおよび基線５ｂを有するフラップ５を提供する、図１の連続的な材料のウェブ１を示す概略図である。切目４は太線で示され、基線５ｂは太線で描かれた破線で表されている。
【図３】図２の連続的な材料のウェブ１を示す概略図であり、フラップ５は、各基線５ｂに沿って横方向に折り重ねられ、止着部分２は連続的な材料のウェブ１の内面１ａに面し、フラップ５は連続的な材料のウェブ１の外面１ｂの一部を露出している。折り重ねられている時のフラップの周囲を太線で示し、連続的な材料のウェブ１の切取り部分を細線で示す。フラップ５の内側に取り付けられている止着部分２を点線で示す。
【図４ａ】図３の連続的な材料のウェブ１の概略図であり、追加の切目４’が付与され、それによってウェブ１は２つの別々の連続サブウェブに分離され、これから、一連の閉鎖部品７（図４ｂに示す）を切取ることができる。
【図４ｂ】図４ａの２つの別々の連続サブウェブの１つから、追加の切目４”を付与することによって得られる一連の別々の単一の閉鎖部品７を示す概略図である。
【図５ａ】後ウエストバンドセクション１３、前ウエストバンドセクション１２、および中間の股セクションを備える、おむつ１０を示す概略図であり、閉鎖部品７は後ウエストバンドセクション１３の側方に着設されている。フラップ５は折り重なった位置にある。
【図５ｂ】後ウエストバンドセクション１３、前ウエストバンドセクション１２、および中間の股セクションを備える、おむつ１０を示す概略図であり、閉鎖部品７は後ウエストバンドセクション１３の側方に着設されている。フラップ５は開かれており、ランディングゾーン１４に係合する準備が整っている。
【図６】本発明の閉鎖部品７を製造するのに好適な装置を示す概略図である。装置は、連続的な材料のウェブ１の供給ロール２１、連続的な止着部分２の供給ロール２２、個々の止着部分２を供給するための切断手段２３、止着部分２をウェブ１に取り付けるための真空ロール２４ｂを備えるアプリケータ手段２４ａ、２４ｂ、フラップ５を提供するための回転切断手段２５ａ、２５ｂ、横方向にフラップ５を折り重ねるためのスプロケットホイール２６ａおよびフォールディングバー２６ｂ、１対のローラ２７ａ、２７ｂ、並びに貯蔵ロール２８を備える。装置は、任意に、追加の回転切断手段２９ａ、２９ｂおよび２つの貯蔵ロール３０ａ、３０ｂを更に備える。
【図７】ちょうど反対の配置に配置されている別個の止着部分２を担持する、連続的な材料のウェブ１を示す概略図である。
【図８】止着部分２の一部の周りに切目４を備え、それによって、それぞれが上縁部５ａおよび基線５ｂを有するフラップ５が提供される、図７のウェブを示す概略図である。
【図９】図８のウェブを示す概略図であり、フラップ５は横方向に折り重ねられ、追加の切目４’が付与されて、別個の閉鎖部品７が提供される。
【図１０】千鳥配置に配置されている別個の止着部分２を担持する、連続的な材料のウェブ１を示す概略図であり、隣接する止着部分は連続ウェブの異なる面１ａおよび１ｂに接合されている。切目４（太い実線で示される）で画定され、それぞれ上縁部５ａおよび基線５ｂを有するフラップ５は、まだ折り重ねられていない。このような折り重ね工程の後、切目４’を付与し、別々の単一の閉鎖部品７を提供することができる。
【図１１】サイズの異なる別個の止着部分２、２’を担持する連続的な材料のウェブ１を示す概略図である。切目４（太い実線で示される）で画定され、それぞれ上縁部５ａ、５ａ’および基線５ｂ、５ｂ’を有するフラップ５、５’は、まだ折り重ねられていない。
【図１２】図１１の連続ウェブ１から、切目４’を付与することによって得られる単一の閉鎖部品７を示す概略図である。